(57)【要約】【課題】本発明は、携帯電話機用ポケットを備えた鞄において、携帯電話機の着信を確実に知らせることができる、携帯電話機用補助着信検知装置を提供する。  【解決手段】本発明は、鞄に取り付けることができるクリップが備えられたケース体と、このケース体に一端部が取り付けられ、他端部に着信感知器が取り付けられたコードと、着信感知器を内蔵し鞄内の携帯電話機用ポケットに取り付けることができるクリップが取り付けられたホルダからなり、前記ケース体に、前記コードに接続され携帯電話が着信した信号を該コードを介して受信して着信を記憶する着信記憶部と、着信記憶部から着信記憶信号を受信して着信表示を行う着信表示器を備え、携帯電話用補助着信感知装置を構成している。  【選択図】図１
2008263561.tif 000002
【特許請求の範囲】
【請求項１】
鞄に取り付けることができるクリップが備えられたケース体と、このケース体に一端部が取り付けられ、他端部に着信感知器が取り付けられたコードと、着信感知器を内蔵し鞄内の携帯電話機用ポケットに取り付けることができるクリップが取り付けられたホルダからなり、前記ケース体に、前記コードに接続され携帯電話が着信した信号を該コードを介して受信して着信を記憶する着信記憶部と、着信記憶部から着信記憶信号を受信して着信表示を行う着信表示器を備えたことを特徴とする携帯電話用補助着信感知装置。  
【発明の詳細な説明】
【技術分野】
【０００１】
本発明は、携帯電話機用ポケットを備えた鞄において、携帯電話機を鞄内に収納した状態でも携帯電話へ着信があったことを知らせることが出来る携帯電話機用補助着信感知装置に関する。  
【背景技術】
【０００２】
従来、携帯電話機を鞄内に収納すると、携帯電話機の着信が、わかりずらいという欠点があった。このため、特許文献１の請求項１に記載される、携帯電話機が着信した信号を携帯電話機のジャックに差し込んだプラグおよびコードを介して受信して着信表示を行なう携帯電話機用補助着信感知装置（１）や、特許文献１の請求項６に記載される、携帯電話機の着信電波を着信電波受信回路にて受信して着信表示を行なう携帯電話機用補助着信感知装置（２）が知られている。
【特許文献１】特開平１０−２７１１９０号公報
【発明の開示】
【発明が解決しようとする課題】
【０００３】
背景技術に記載の携帯電話機用補助着信感知装置（１）は、使用の際に携帯電話機へコードを接続する手間が生じること、また、同装置にて着信を感知した後、携帯電話機を単独で使用する際に、携帯電話機からコードを取り外す手間が生じること、また、携帯電話機を鞄に収納、取り出しする際、コードが携帯電話機に絡まり邪魔になるという欠点があった。また、背景技術に記載の携帯電話機用補助着信感知装置（２）は、他の携帯電話が近接して着信した場合、誤って感知し、目的とする携帯電話機の着信感知ができないという欠点があった。本発明は、以上のような従来の欠点を解消しようとするものである。
【課題を解決するための手段】
【０００４】
上記目的を達成するために、本発明は、鞄に取り付けることができるクリップが備えられたケース体と、このケース体に一端部が取り付けられ、他端部に着信感知器が取り付けられたコードと、着信感知器を内蔵し鞄内の携帯電話機用ポケットに取り付けることができるクリップが取り付けられたホルダからなり、前記ケース体に、前記コードに接続され携帯電話が着信した信号を該コードを介して受信して着信を記憶する着信記憶部と、着信記憶部から着信記憶信号を受信して着信表示を行う着信表示器を備え、携帯電話用補助着信感知装置を構成している。  
【発明の効果】
【０００５】
本発明の携帯電話用補助着信感知装置は、鞄に取り付けることができるクリップが備えられたケース体と、このケース体に一端部が取り付けられ、他端部に着信感知器が取り付けられたコードと、着信感知器を内蔵し鞄内の携帯電話機用ポケットに取り付けることができるクリップが取り付けられたホルダからなり、前記ケース体は、前記コードに接続され携帯電話が着信した信号を該コードを介して受信して着信を記憶する着信記憶部と、着信記憶部から着信記憶信号を受信して着信表示を行う着信表示器から構成されているので、携帯電話機に着信があった場合、表示器により着信表示をおこなうことができる。したがって、携帯電話機を鞄内に収納した状態でも携帯電話機用補助着信感知装置を鞄に取り付けておくことにより、容易に着信があったことを知ることができる。また、携帯電話機と着信感知器が携帯電話機用ポケット内に当接して設置されるため、携帯電話機と携帯電話機用補助着信感知装置をコードで接続する必要がなく、容易に携帯電話機の収納、取り出しが可能である。よって、前記背景技術に記載した携帯電話機用補助着信感知装置（１）の欠点は解消される。また、携帯電話機の発光面と着信感知器としての光感知器が対面し鞄外部から遮光された状態で携帯電話機用ポケットに設置されるため、他の携帯電話が鞄外に近接した状態で着信しても誤って感知することがない。よって、前記背景技術に記載した携帯電話機用補助着信感知装置（２）の欠点は解消される。
【発明を実施するための最良の形態】
【０００６】
以下、図面に示す実施の形態により、本発明を詳細に説明する。
【実施例１】
【０００７】
図１ないし図１０に示す本発明の第１の実施の形態において、１は、着信感知部２を、鞄３の携帯電話機用ポケット４に携帯電話機５の発光部６に対面して取り付け、着信表示部７を鞄３の開口端部に取り付けて使用する本発明の携帯電話用補助着信感知装置で、この携帯電話用補助着信感知装置１は、鞄３に取り付けることができるクリップ８が背面に備えられたケース体９と、このケース体９に一端部が取り付けられた他端部に着信感知器１０としての光感知器１１が接続されたコード１２と、前記光感知器１１が中央に内蔵されたホルダ１３と、前記ホルダ１３を鞄３の携帯電話機用ポケット４内に取り付けることができる、前記ホルダ１３の背面に取り付けられたクリップ１４と、前記光感知器１１が検出したコード１２を介して導かれる着信信号のＯＮ状態を記憶するケース体９内に設けた着信記憶部１５と、前記ケース体９の表面に取り付けられた着信表示器１６としての発光ダイオード１７と、前記着信信号のＯＮ状態をリセットする前記ケース体表面に取り付けられたリセットスイッチ１８と、前記ケース体９の表面に取り付けられた電源スイッチ１９を介して着信記憶部１５に電源を供給するケース体９内に設けた電源２０で構成されている。  
【０００８】
上記構成の携帯電話機用補助着信感知装置１を使用するときは、携帯電話機５を着信があった場合に光感知器１１が感知できる時間および明るさに発光部６が点灯するようにあらかじめ設定する。  
【０００９】
次に、図１に示すように着信感知部２を、鞄３の携帯電話機用ポケット４に携帯電話機５の発光部６に対面する位置に取り付けるとともに、着信表示部７を鞄３の開口端部に取り付け、電源スイッチ１９をＯＮ状態にする。  
【００１０】
次に、携帯電話機５を携帯電話機用ポケット４に収納する。
【００１１】
次に、外部からの光が鞄３内に侵入して光感知器１１が感知しないように鞄３のファスナー３０を閉める。
【００１２】
鞄３内に収納した携帯電話機５が着信した場合、発光部６が発光するとともに、光感知器１１により感知された着信信号は、コード１２を介して着信記憶部１５に導かれ、着信記憶部１５はＯＮ状態になるとともに、着信表示器１６としての発光ダイオード１７が点灯して着信を知らせる。  
【００１３】
携帯電話機５が着信した後、携帯電話機５にて行った前記設定により発光時間を経過して発光部６が消灯しても、着信記憶部１５はＯＮ状態を保持するため、発光ダイオード１７の点灯は継続する。  
【００１４】
次に、携帯電話機５の発光部が消灯した状態で、リセットスイッチ１８を押すと、着信記憶部１５はＯＦＦ状態となり、発光ダイオード１７は消灯する。  
【００１５】
最後に、ファスナー３０をあけ、携帯電話機５を携帯電話機用ポケット４から取り出し通話等を行う。
【００１６】
図６に、図２に示す本発明の第１の実施の形態における回路例を示す。  
【００１７】
電源２０としての電池２１は３Ｖの電池を使用する。  
【００１８】
光感知器１１としてのＣＤＳ２３は受光感知時のＯＮ抵抗が２ＫΩ、非受光感知時のＯＦＦ抵抗が３０ＫΩのものを使用する。  
【００１９】
電源スイッチ１９は、オルタネートタイプを使用する。発光ダイオード１７は、順電圧定格２Ｖ、順電流定格２０ｍＡの赤色発光タイプを使用する。  
【００２０】
固定抵抗器２７は１００Ω  １／４Ｗを使用する。  
【００２１】
リセットスイッチ１８は、モーメンタリタイプを使用する。  
【００２２】
着信記憶部１５は、半固定抵抗器２２に５０ＫΩ  １／２Ｗ、トランジスタ２４に２ＳＣ１８１５―Ｙ、固定抵抗器２５に１００Ω  １／４Ｗ、フォトカプラ２６にＴＬＰ５２１−１を使用する。  
【００２３】
前記構成の回路は、使用する前に次に述べる携帯電話機５の設定および携帯電話機用補助着信感知装置１の調整を行う。
【００２４】
携帯電話機５は、非着信時に、発光部６を消灯する設定にする。
【００２５】
携帯電話機５の発光部６表面に設けられた液晶表示部やＬＥＤ等と、別途、携帯電話機５の設定用に設けたＣＤＳ２３と同仕様のＣＤＳを、外部から遮光された場所で対面させた状態に設置し、携帯電話機５の着信時に、ＣＤＳが前述の受光感知時のＯＮ抵抗状態となるように、携帯電話機５の発光部６の発光条件（発光色、発光明るさ、発光時間）を設定する。  
【００２６】
次に、携帯電話機用補助着信感知装置１の電源スイッチ１９をＯＮ状態にする。
【００２７】
次に、携帯電話機５の発光部６の表面に設けられた液晶表示部やＬＥＤ等とＣＤＳ２３を対面させた状態で携帯電話機５が着信し発光部６が発光してＣＤＳ２３が受光状態となったときに発光ダイオード１７が点灯するように、また、前述の操作により発光ダイオード１７が点灯した後、ＣＤＳ２３への光を遮断し非受光状態にした状態で、リセットスイッチ１８を押したとき発光ダイオード１７が消灯するように、半固定抵抗器２２の抵抗値を調整する。
【００２８】
前述の設定および調整を行った後、携帯電話機用補助着信感知装置１を鞄３に取り付け、携帯電話機５を、発光部６がＣＤＳ２３の受光面と対面する状態で、携帯電話機用ポケット４に収納する。
【００２９】
次に、外部からの光が鞄３内に侵入して光感知器１１が感知しないように鞄３のファスナー３０を閉める。
【００３０】
この状態で携帯電話機５に着信があると、発光部６の光がＣＤＳ２３に入光し、ＣＤＳ２３は前述のＯＦＦ抵抗状態からＯＮ抵抗状態に変化し、トランジスタ２４のベース電圧２８が約０．６Ｖになりトランジスタ２４がＯＮ状態となるとともに、コレクタ電圧２９は約０．２Ｖとなる。
【００３１】
また、フォトカプラ２６は入力側ＬＥＤがＯＮするとともに出力側フォトトランジスタがＯＮ状態になり入力側ＬＥＤをＯＮする自己保持状態となる。  
【００３２】
このため、携帯電話機５の発光部６が消灯してベース電圧２８が０．５Ｖ以下になり、トランジスタ２４がＯＦＦ状態になっても発光ダイオード１７は点灯したままとなる。  
【００３３】
携帯電話機５の発光部６が消灯した状態でリセットスイッチ１８を押すと、フォトカプラ２６の入力側ＬＥＤがＯＦＦ状態となるとともに出力側フォトトランジスタがＯＦＦ状態になり前記自己保持状態は解除されるため、発光ダイオード１７は消灯する。  
【００３４】
携帯電話機５の発光部６は、携帯電話機５が携帯電話機用ポケット４の中で収納位置にずれがあっても感知できるようにＣＤＳ２３の感知範囲以上の面積を備えることが望ましい。  
【００３５】
携帯電話機５の発光部６の発光時間は、前記構成の回路の場合、０．５秒以上に設定する。  
【００３６】
携帯電話機５の発光部６としてカラー液晶表示器を備える場合、発光色は白色、発光時の明るさは最大に設定する。  
【００３７】
前述の半固定抵抗器２２の調整が、ケース体９の外部からもできるように、ケース体９に半固定抵抗器２２の抵抗値調整用の穴を設けてもよい。
【００３８】
着信表示時の電池の磨耗を抑える為に、発光ダイオード１７は、自己点滅式のタイプを設けてもよい。
【実施例２】
【００３９】
次に、図１１および図１２に示す本発明の異なる実施の形態について説明する。なお、これらの本発明の異なる形態の説明に当たって、前記本発明の第１の実施の形態と同一構成部分には、同一符号を付して、重複する説明を省略する。  
【００４０】
図１１および図１２に示す本発明の第２の実施の形態において、前記本発明の第１の実施の形態と主に異なる点は、ホルダ１３Ａに複数の光感知器１１Ａを内蔵し、光の感知範囲を拡大することにより、携帯電話機５を携帯電話機用ポケット４に収納した状態で、携帯電話機５の発光部６と光感知器１１Ａとの間に位置ずれがあっても、いずれかの前記光感知器１１Ａが感知して着信記憶部１５を確実にＯＮ状態にできるようにした点で、このように構成された携帯電話機用補助着信感知装置１Ａにしても前記本発明の第１の実施の形態と同様な作用効果が得られる。  
【図面の簡単な説明】
【００４１】
【図１】本発明の第１の実施の形態の使用状態の側面図
【図２】本発明の第１の実施の形態の正面図
【図３】本発明の第１の実施の概略ブロック図
【図４】本発明の第１の実施の形態の使用状態の背面図
【図５】本発明の第１の実施の形態の使用状態の上面図
【図６】本発明の第１の実施の回路図
【図７】本発明の第１の実施の形態の側面図
【図８】本発明の第１の実施の形態の上面図
【図９】本発明の第１の実施の形態の底面図
【図１０】本発明の第１の実施の形態の背面図
【図１１】本発明の第２の実施の形態の正面図
【図１２】本発明の第２の実施の形態の側面図
【符号の説明】
【００４２】
１、１Ａ  携帯電話用補助着信感知装置  
２  着信感知部  
３  鞄  
４  携帯電話機用ポケット  
５  携帯電話機  
６  発光部  
７  着信表示部  
８  クリップ  
９  ケース体  
１０  着信感知器  
１１、１１Ａ  光感知器  
１２  コード  
１３、１３Ａ  ホルダ  
１４  クリップ  
１５  着信記憶部  
１６  着信表示器  
１７  発光ダイオード  
１８  リセットスイッチ  
１９  電源スイッチ  
２０  電源  
２１  電池  
２２  半固定抵抗器  
２３  ＣＤＳ  
２４  トランジスタ  
２５  固定抵抗器  
２６  フォトカプラ  
２７  固定抵抗器  
２８  ベース電圧  
２９  コレクタ電圧  
３０  ファスナー
【図１】
2008263561.tif 000003
【図２】
2008263561.tif 000004
【図３】
2008263561.tif 000005
【図４】
2008263561.tif 000006
【図５】
2008263561.tif 000007
【図６】
2008263561.tif 000008
【図７】
2008263561.tif 000009
【図８】
2008263561.tif 000010
【図９】
2008263561.tif 000011
【図１０】
2008263561.tif 000012
【図１１】
2008263561.tif 000013
【図１２】
2008263561.tif 000014